(57)【要約】【課題】  建物躯体の寸法精度が悪くても垂れ壁を建具の枠部の上側に隙間無く配設することができる間仕切り構造提供を提供する。【解決手段】  建物躯体に間仕切り用上ランナー２１・間仕切り用下ランナーを取り付けてこの間に間仕切り用スタッド２３を立設して間仕切り用枠体２４を構成し、これに間仕切り用面板２５を取り付けて間仕切り２を構成し、隣接する間仕切り用スタッド２３間に出入用の開口部２０を形成する間仕切り構造。開口部２０の上側の間仕切り用上ランナー３１から垂下する垂れ壁用スタッド３３を取り付け、これに上下調整手段４によって上下調整して垂れ壁用下ランナー３２を両側の間仕切り用スタッド２３に固定し、垂れ壁用枠体３４に垂れ壁用面板３５を取り付けると共に間仕切り用枠体２４に間仕切り用面板２５を取り付けた。【選択図】        図１
2006177102.tif 000002
【特許請求の範囲】
【請求項１】
天井構造材に間仕切り用上ランナーを取り付けると共に床構造材に間仕切り用下ランナーを取り付け、前記間仕切り用上ランナーと間仕切り用下ランナーとの間に間仕切り用スタッドを立設して間仕切り用枠体を構成し、間仕切り用枠体に間仕切り用面板を取り付けて間仕切りを構成し、任意の隣接する間仕切り用スタッド間に出入用の開口部を形成する間仕切り構造において、開口部の上側の間仕切り用上ランナーから垂下する垂れ壁用スタッドを取り付け、該垂れ壁用スタッドに対して仮付けし且つ上下調整可能とする上下調整手段によって垂れ壁用下ランナーを仮付けして垂れ壁用枠体を構成し、前記上下調整手段は垂れ壁用スタッド及び垂れ壁用下ランナーの一方に上下方向に長い長孔を貫通形成すると共に他方に前記長孔の上下方向の一部に遊嵌される突起部を突設して形成し、垂れ壁用下ランナーを上下調整した状態で両端部をそれぞれ開口部の両側の間仕切り用スタッドに固定し、垂れ壁用枠体に垂れ壁用面板を取り付けると共に間仕切り用枠体に間仕切り用面板を取り付けて成ることを特徴とする間仕切り構造。
【発明の詳細な説明】
【技術分野】
【０００１】
本発明は、天井構造材に間仕切り用上ランナーを取り付けると共に床構造材に間仕切り用下ランナーを取り付け、前記間仕切り用上ランナーと間仕切り用下ランナーとの間に間仕切り用スタッドを立設して間仕切り用枠体を構成し、間仕切り用枠体に間仕切り用面板を取り付けて間仕切りを構成し、任意の隣接する間仕切り用スタッド間に出入用の開口部を形成する間仕切り構造に関するものである。
【背景技術】
【０００２】
従来から、間仕切り用枠体を構成すると共にこれに間仕切り用面板を取り付ける間仕切り構造が知られている（例えば特許文献１参照）。
【０００３】
これは、天井構造材に間仕切り用上ランナーを取り付けると共に床構造材に間仕切り用下ランナーを取り付け、前記間仕切り用上ランナーと間仕切り用下ランナーとの間に間仕切り用スタッドを立設して間仕切り用枠体を構成し、間仕切り用枠体に間仕切り用面板を取り付けて間仕切りを構成し、任意の隣接する間仕切り用スタッド間に出入用の開口部とするものである。
【０００４】
開口部を形成するには、開口部の両側の間仕切り用スタッド間の上方の間仕切り用上ランナーから垂下する垂れ壁用スタッドを取り付け、該垂れ壁用スタッドに垂れ壁用下ランナーを固定して垂れ壁用枠体を構成し、垂れ壁用枠体に垂れ壁用面板を取り付けて垂れ壁を形成すると共に、間仕切り用枠体に間仕切り用面板を取り付けることで、開口部を有する間仕切りを形成していた。
【０００５】
このような間仕切りにあっては、間仕切り用上ランナーに垂れ壁用スタッドを挿入して固定し、垂れ壁用スタッドの下端部に垂れ壁用下ランナーを取り付けていたため、天井構造材からの垂れ壁用下ランナーの距離は所定の距離となっており、一方、建具の床構造材からの高さは所定の高さであるため、この建具の上側に配設される垂れ壁用下ランナーの床構造材からの距離も所定の距離となるため、建具の上側に隙間無く垂れ壁用下ランナーを配設するためには天井構造材と床構造材との間の距離を正確に所定の距離とする必要があるが、現実には天井構造材と床構造材との間の距離を正確に所定の距離とするのは困難であり、建具の上側に隙間無く垂れ壁用下ランナーを配設することができないものであった。
【特許文献１】特開２００１−０９８６７８号公報
【発明の開示】
【発明が解決しようとする課題】
【０００６】
本発明は上記の従来の問題点に鑑みて発明したものであって、その目的とするところは、天井構造材と床構造材との距離が正確に所定の距離となっていなくても、間仕切りの開口部の上側の垂れ壁を開口部の建具の枠部の上側に隙間無く配設することができる間仕切り構造提供することを課題とするものである。
【課題を解決するための手段】
【０００７】
上記課題を解決するため本発明の間仕切り構造は、天井構造材１１に間仕切り用上ランナー２１を取り付けると共に床構造材に間仕切り用下ランナーを取り付け、前記間仕切り用上ランナー２１と間仕切り用下ランナーとの間に間仕切り用スタッド２３を立設して間仕切り用枠体２４を構成し、間仕切り用枠体２４に間仕切り用面板２５を取り付けて間仕切り２を構成し、任意の隣接する間仕切り用スタッド２３間に出入用の開口部２０を形成する間仕切り構造において、開口部２０の上側の間仕切り用上ランナー２１から垂下する垂れ壁用スタッド３３を取り付け、該垂れ壁用スタッド３３に対して仮付けし且つ上下調整可能とする上下調整手段４によって垂れ壁用下ランナー３２を仮付けして垂れ壁用枠体３４を構成し、前記上下調整手段４は垂れ壁用スタッド３３及び垂れ壁用下ランナー３２の一方に上下方向に長い長孔４１を貫通形成すると共に他方に前記長孔４１の上下方向の一部に遊嵌される突起部４２を突設して形成し、垂れ壁用下ランナー３２を上下調整した状態で両端部をそれぞれ開口部２０の両側の間仕切り用スタッド２３に固定し、垂れ壁用枠体３４に垂れ壁用面板３５を取り付けると共に間仕切り用枠体２４に間仕切り用面板２５を取り付けて成ることを特徴とするものである。このような構成とすることで、天井構造材１１に取り付けられる垂れ壁用上ランナー３１及び垂れ壁用スタッド３３に対して垂れ壁用下ランナー３２を上下調整した状態で固定することができるため、天井構造材１１と床構造材との距離が正確に所定の距離となっていなくても、間仕切り２の開口部２０の上側の垂れ壁を開口部２０に設けられる建具の枠部の上側に隙間無く配設することが可能となる。
【発明の効果】
【０００８】
本発明にあっては、天井構造材と床構造材との距離が正確に所定の距離となっていなくても、開口部に設けられる建具の上側に垂れ壁を隙間無く配設することが可能となる。
【発明を実施するための最良の形態】
【０００９】
以下、本発明を添付図面に示す実施形態に基いて説明する。本発明の間仕切り構造は、間仕切り２の出入口等の開口部２０の上側の垂れ壁に特徴があるもので、まず、間仕切り２全体について説明する。
【００１０】
間仕切り２は、図１、図３に示すように、間仕切り用上ランナー２１と間仕切り用下ランナーとの間に間仕切り用スタッド２３を立設して間仕切り用枠体２４を構成し、この間仕切り用枠体２４に間仕切り用面板２５を取着して構成される。間仕切り用上ランナー２１及び間仕切り用下ランナーは、断面略コ字状をした軽鉄からなり、間仕切り用上ランナー２１は断面略コ字状の開口部が下方を向くように梁や野縁や天井スラブ等の天井構造材１１に固着具等にて固定されると共に、間仕切り用下ランナーは断面略コ字状の開口部が上方を向くように床スラブ等の床構造材に固着具等にて固定されて、その開口部が互いに上下方向に対向するように配設される。本実施形態では、図１、図３に示すように、建物躯体の壁面間や梁等に野縁１１ａを二本併設してあると共に両野縁１１ａの下面に亘って水平板１１ｂが固定してあり、これらによって天井構造材１１が形成されている。
【００１１】
間仕切り用スタッド２３は、断面略ロ字状をした軽鉄からなり、間仕切り用上ランナー２１及び間仕切り用下ランナーの開口部内にそれぞれ上下端部が挿入される。本実施形態において間仕切り用スタッド２３は、その上端部が間仕切り用上ランナー２１にスポット溶接やねじ止めによって固定される。
【００１２】
上述した間仕切り用上ランナー２１、間仕切り用下ランナー、間仕切り用スタッド２３によって間仕切り用枠体２４が構成され、この間仕切り用枠体２４に間仕切り用面板２５を取り付けることで間仕切り２が形成される。間仕切り２は、間仕切り用枠体２４の全面に間仕切り用面板２５を取り付けることで開口部のない壁のみの間仕切りを形成することができるが、本発明においては間仕切り２に出入口となる開口部２０を形成するものであり、以下に説明する。
【００１３】
開口部２０は、任意の隣接する間仕切り用スタッド２３間に形成される。開口部２０が形成される部分の上部には垂れ壁が設けられ、その両側の間仕切り用枠体２４に間仕切り用面板２５を取り付け、開口部２０の上側の垂れ壁用下ランナー３２の下側及び開口部２０の両側の間仕切り用スタッド２３にそれぞれ建具の枠部が設けられる。
【００１４】
垂れ壁は、開口部２０の上側に配置してある間仕切り用上ランナー２１と垂れ壁用下ランナー３２との間に垂れ壁用スタッド３３を垂設して垂れ壁用枠体３４を構成し、この垂れ壁用枠体３４に垂れ壁用面板３５を取着して構成される。本実施形態では間仕切り用上ランナー２１の開口部２０の上側の垂れ壁が配置される部分を垂れ壁用上ランナー３１として利用しているが、垂れ壁用枠体３４をユニット化するような場合には間仕切り用上ランナー２１とは別体の垂れ壁用上ランナー３１を設けるようにしてもよい。垂れ壁用上ランナー３１及び垂れ壁用下ランナー３２は、間仕切り用上ランナー２１及び間仕切り用下ランナーと同じく断面略コ字状をした軽鉄からなり、その開口部が互いに上下方向に対向するように配設される。
【００１５】
垂れ壁用上ランナー３１（本実施形態では間仕切り用上ランナー２１）には、断面略ロ字状をした軽鉄からなる垂れ壁用スタッド３３の上端部が挿入固定されると共に、垂れ壁用スタッド３３の下端部は垂れ壁用下ランナー３２に挿入される。垂れ壁用下ランナー３２は、その開口部が上方を向くように両端部の固定片３２ｂ（後述する）が間仕切り用スタッド２３にビスからなる固着具にて固定されるが、本発明にあっては、上下調整手段４によって垂れ壁用下ランナー３２を垂れ壁用スタッド３３に対して上下調整可能に仮付けしてある。即ち、垂れ壁用上ランナー３１（間仕切り用上ランナー２１）は上述したように天井構造材１１に固定し、この垂れ壁用上ランナー３１（間仕切り用上ランナー２１）の開口部に垂れ壁用スタッド３３を挿入してその上端部が開口部の内上面に当接した状態でスポット溶接やビス止めにて固定しているため、垂れ壁用下ランナー３２が取り付けられる垂れ壁用スタッド３３の下端部の天井構造材１１からの距離は所定の距離となり、一方、建具の横枠の床構造材からの高さは所定の高さとなるため、垂れ壁用下ランナー３２を建具の横枠の上側に隙間無く配設するためには天井構造材１１と床構造材との間の距離が精度良く所定の距離となる必要がある。しかしながら、現実には天井構造材１１と床構造材との間の距離を所定の距離とするのは困難であるため、上記のように垂れ壁用下ランナー３２を垂れ壁用スタッド３３に対して上下調整手段４にて上下調整することで建具の横枠の上側に隙間無く配設するものである。
【００１６】
上下調整手段４は、図２に示すように、一方（本実施形態では垂れ壁用下ランナー３２）に上下方向に長い長孔４１を貫通形成すると共に、他方（本実施形態では垂れ壁用スタッド３３）に前記長孔４１の上下方向の一部に遊嵌される突起部４２を突設して形成してある。
【００１７】
また垂れ壁用下ランナー３２には、間仕切り用スタッド２３に固定するための固定片３２ｂが設けてある。固定片３２ｂは、間仕切り用スタッド２３に被嵌される略コ字状をしたもので、垂れ壁用下ランナー３２の両端部にそれぞれ開口が外側を向くように連設されるもので、本実施形態では図２に示すように、垂れ壁用下ランナー３２のランナー本体３２ａの両端部の底片の端辺からそれぞれ固定片３２ｂの連設片３２ｃを下方に連設するとともに、その連設片３２ｃの両側縦辺から側片３２ｄを連設して平面視コ字状の固定片３２ｂを形成してあり、このようにすることで、一枚の板状部材に切込みを形成すると共に折曲するだけで固定片３２ｂを備えた垂れ壁用下ランナー３２を容易に形成することができる。この固定片３２ｂには固着具挿通孔３２ｅが形成してあり、固定片３２ｂが間仕切り用スタッド２３に被嵌された際にこの固着具挿通孔３２ｅを介して間仕切り用スタッド２３にビスからなる固着具をドリルにて螺着することで、間仕切り用スタッド２３に固定される。
【００１８】
上記のように構成された垂れ壁用枠体３４には垂れ壁用面板３５が取り付けられ、垂れ壁が形成される。
【００１９】
次に、間仕切りの施工方法について説明すると、まず、間仕切り用上ランナー２１及び間仕切り用下ランナーをそれぞれ天井構造材１１及び床構造材に固定し、この間に間仕切り用スタッド２３を立設して間仕切り用枠体２４を形成する。次に、任意の隣接する間仕切り用スタッド２３間に開口部２０を形成し該開口部２０の上側に垂れ壁を設けるため、以下のように垂れ壁用枠体３４を設ける。
【００２０】
垂れ壁用枠体３４の垂れ壁用上ランナー３１は、上述したように間仕切り用上ランナー２１の一部を利用しており、ここでは垂れ壁用上ランナー３１を別に取り付ける工程は省略される。垂れ壁用上ランナー３１（間仕切り用上ランナー２１）の下方を向く開口部に複数の垂れ壁用スタッド３３の上端部を挿入してスポット溶接によって固定する。そして、この垂れ壁用スタッド３３の下端部に垂れ壁用下ランナー３２の開口部を被嵌していくと共に該垂れ壁用下ランナー３２の長孔４１に垂れ壁用スタッド３３の突起部４２を遊嵌して上下調整可能に仮付けし、垂れ壁用下ランナー３２の固定片３２ｂを間仕切り用スタッド２３に被嵌した状態とする。ここで、垂れ壁用下ランナー３２の長孔４１は各垂れ壁用スタッド３３の突起部４２に対応する部分に形成してあり、施工現場にて垂れ壁用スタッド３３の上端部を垂れ壁用上ランナー３１（間仕切り用上ランナー２１）に固定した後で垂れ壁用スタッド３３の下端部に垂れ壁用下ランナー３２を仮付けしてもよいが、予め各垂れ壁用スタッド３３の突起部４２を垂れ壁用下ランナー３２の長孔４１に遊嵌にして仮付けしてユニットを構成しておき、このユニットを施工現場に持ち込んで各垂れ壁用スタッド３３を垂れ壁用上ランナー３１に固定してもよい。また、垂れ壁用上ランナー３１を間仕切り用上ランナー２１とは別に設けてもよい。この場合には、予め垂れ壁用上ランナー３１に垂れ壁用スタッド３３の上端部を固定すると共に垂れ壁用スタッド３３の下端部に垂れ壁用下ランナー３２を仮付けしてユニットを構成しておき、このユニットを施工現場に持ち込んでその垂れ壁用上ランナー３１を天井構造材１１に固定してもよい。
【００２１】
そして、間仕切りの開口部２０の床構造材から建具の上端部までの高さとなる所定高さを計測し、その上側に垂れ壁用下ランナー３２が隙間無く位置するように垂れ壁用下ランナー３２を垂れ壁用スタッド３３に対して上下調整した状態で垂れ壁用下ランナー３２の固定片３２ｂを開口部２０の両側に隣接する間仕切り用スタッド２３に固定し、垂れ壁用枠体３４が形成される。
【００２２】
そして、垂れ壁用枠体３４の下部で両間仕切り用スタッド２３間に建具の枠部を取り付け、間仕切り用枠体２４に間仕切り用面板２５を取り付けると共に垂れ壁用枠体３４に垂れ壁用面板３５を取り付けて、間仕切りが形成される。
【００２３】
以上のような構成によれば、天井構造材１１に取り付けられる垂れ壁用上ランナー３１及び垂れ壁用スタッド３３に対して垂れ壁用下ランナー３２を上下調整した状態で固定することができるため、天井構造材１１と床構造材との距離が正確に所定の距離となっていなくても、間仕切り２の開口部２０の上側の垂れ壁を開口部２０に設けられる建具の枠部の上側に隙間無く配設することが可能となる。
【図面の簡単な説明】
【００２４】
【図１】本発明の一実施形態の要部であり、（ａ）は正面断面図であり、（ｂ）は側断面図る。
【図２】同上の上下調整手段付近の分解斜視図である。
【図３】同上の概略全体斜視図である  。
【符号の説明】
【００２５】
１１  天井構造材
２  間仕切り
２０  開口部
２１  間仕切り用上ランナー
２３  間仕切り用スタッド
２４  間仕切り用枠体
２５  間仕切り用面板
３１  垂れ壁用上ランナー
３２  垂れ壁用下ランナー
３３  垂れ壁用スタッド
３４  垂れ壁用枠体
３５  垂れ壁用面板
４  上下調整手段
４１  長孔
【図１】
2006177102.tif 000003
【図２】
2006177102.tif 000004
【図３】
2006177102.tif 000005